(57)【特許請求の範囲】
【請求項１】
複数の車両にそれぞれ搭載された蓄電池に対して、複数の商用電源からそれぞれコンセントを介して供給する電力を制御する電力供給制御装置であって、
前記各商用電源と前記各コンセントとの間に介設され、前記各蓄電池への電力の供給を許可又は遮断する複数の切換手段と、
前記各切換手段における電力の供給に関する許可又は遮断の切り換えをそれぞれ制御すると共に、予め識別情報が設定された複数の切換制御手段と、
前記切換制御手段ごとに、予め設定された電力の供給を許可する条件である供給許可条件を満たすか否かを判定する許可判定手段と、
電力の供給を許可する旨の指示情報であって、前記許可判定手段によって供給許可条件を満たすと判定された切換指示手段に対応する識別情報が付与された許可指示情報を、前記各切換制御手段に対して出力する許可指示手段と、を備え、
前記各切換制御手段は、前記許可指示情報を受け付けた場合に、前記許可指示情報に含まれる識別情報が、前記各切換制御手段に対して予め設定された識別情報と一致するか否かを判定し、一致すると判定された場合に前記切換手段に対して、前記蓄電池への電力の供給を許可し、
前記許可指示手段は、前記許可指示手段に最も近い位置に配置された１つの前記切換制御手段に対して前記許可指示情報を出力し、
前記各切換制御手段は、
前記許可指示手段又は前記許可指示手段に近い側である上流側に配置された１つの前記切換制御手段から前記許可指示情報を受け付ける第１通信ポートと、
前記許可指示手段から離間する側である下流側に配置された１つの前記切換制御手段へ前記許可指示情報を出力する第２通信ポートと、を備え、
前記第１通信ポートから受け付けられた前記許可指示情報に含まれる識別情報が、前記各切換制御手段に対して予め設定された識別情報と一致するか否かを判定し、一致しないと判定された場合に、前記第２通信ポートから前記許可指示情報を出力することを特徴とする電力供給制御装置。
【請求項２】
請求項１に記載の電力供給制御装置において、
前記識別情報は、前記各切換制御手段の位置を示すアドレス情報であることを特徴とする電力供給制御装置。
【請求項３】
請求項１に記載の電力供給制御装置において、
前記識別情報は、ＩＰ（Internet Protocol）アドレス情報であることを特徴とする電力供給制御装置。
【請求項４】
請求項１から請求項３のいずれか１つに記載の電力供給制御装置において、
前記切換制御手段ごとに、予め設定された電力の供給を遮断する条件である遮断条件を満たすか否かを判定する遮断判定手段と、
前記遮断判定手段によって遮断条件を満たすと判定された切換制御手段に対応する識別情報が付与され、電力の供給を遮断する旨の指示情報である遮断指示情報を前記各切換制御手段に対して出力する遮断指示手段と、を更に備え、
前記各切換制御手段は、前記遮断指示情報を受け付けた場合に、前記遮断指示情報に含まれる識別情報が、前記各切換制御手段に対して予め設定された識別情報と一致するか否かを判定し、一致すると判定された場合に前記切換手段を介して、前記蓄電池への電力の供給を遮断することを特徴とする電力供給制御装置。
【請求項５】
請求項４に記載の電力供給制御装置において、
前記遮断条件は、前記各コンセントから給電されている車両に搭載された蓄電池が満充電状態であるとの条件を含むことを特徴とする電力供給制御装置。
【請求項６】
請求項４又は請求項５に記載の電力供給制御装置において、
ユーザから車両に搭載された蓄電池への充電を所望する旨の充電要求を受け付ける要求受付手段と、
前記要求受付手段によって充電要求が受け付けられた場合に、充電中の前記切換制御手段の個数である充電個数を求める充電個数算出手段と、を更に備え、
前記許可判定手段は、前記充電個数が予め設定された個数閾値以下であるか否かに応じて、前記供給許可条件を満たすか否かを判定することを特徴とする電力供給制御装置。
【請求項７】
請求項６に記載の電力供給制御装置において、
前記充電個数算出手段は、前記遮断判定手段によって前記切換制御手段の電力の供給が遮断された場合に、前記充電個数を求めることを特徴とする電力供給制御装置。
【請求項８】
請求項４又は請求項５に記載の電力供給制御装置において、
前記各切換手段と前記各コンセントとの間に介設され、各商用電源から前記各蓄電池へ供給される電力値を検出する電力検出手段と、
ユーザから車両に搭載された蓄電池への充電を所望する旨の充電要求を受け付ける要求受付手段と、
前記要求受付手段によって充電要求が受け付けられた場合に、前記電力検出手段によって検出された電力値の和である充電電力を求める充電電力算出手段と、を更に備え、
前記許可判定手段は、前記充電電力が予め設定された電力閾値以下であるか否かに応じて、前記供給許可条件を満たすか否かを判定することを特徴とする電力供給制御装置。
【請求項９】
請求項８に記載の電力供給制御装置において、
前記充電電力算出手段は、前記遮断判定手段によって前記切換制御手段の電力の供給が遮断された場合に、前記充電電力を求めることを特徴とする電力供給制御装置。
【請求項１０】
請求項４又は請求項５に記載の電力供給制御装置において、
前記各切換手段と前記各コンセントとの間に介設され、各商用電源から前記各蓄電池へ供給される電流値を検出する電流検出手段と、
ユーザから車両に搭載された蓄電池への充電を所望する旨の充電要求を受け付ける要求受付手段と、
前記要求受付手段によって充電要求が受け付けられた場合に、前記電流検出手段によって検出された電流値の和である充電電流を求める充電電流算出手段と、を更に備え、
前記許可判定手段は、前記充電電流が予め設定された電流閾値以下であるか否かに応じて、前記供給許可条件を満たすか否かを判定することを特徴とする電力供給制御装置。
【請求項１１】
請求項１０に記載の電力供給制御装置において、
前記充電電力算出手段は、前記遮断判定手段によって前記切換制御手段の電力の供給が遮断された場合に、前記充電電流を求めることを特徴とする電力供給制御装置。
【請求項１２】
サーバ装置と、給電制御装置とが、ネットワークを介して通信可能に接続され、複数の車両にそれぞれ搭載された蓄電池に対して、複数の商用電源からそれぞれコンセントを介して供給する電力を制御する電力供給制御システムであって、
前記給電制御装置は、
前記サーバ装置との間の通信を制御する通信制御手段と、
前記各商用電源と前記各コンセントとの間に介設され、前記各蓄電池への電力の供給を許可又は遮断する複数の切換手段と、
前記各切換手段に対して、それぞれ、電力の供給に関する許可又は遮断の切り換えを制御すると共に、予め識別情報が設定された複数の切換制御手段と、を備え、
前記サーバ装置は、
前記切換制御手段ごとに、予め設定された電力の供給を許可する条件である供給許可条件を満たすか否かを判定する許可判定手段と、
前記許可判定手段によって供給許可条件を満たすと判定された切換指示手段に対応する識別情報が付与され、電力の供給を許可する許可指示情報を前記給電制御装置に対して送信する許可指示手段と、を備え、
前記通信制御手段は、前記許可指示情報を受信した場合に、受信した前記許可指示情報を、前記各切換制御手段へ伝送し、
前記各切換制御手段は、前記許可指示情報を受け付けた場合に、前記許可指示情報に含まれる識別情報が、前記各切換制御手段に対して予め設定された識別情報と一致するか否かを判定し、一致すると判定された場合に前記各切換手段に対して、前記各蓄電池への電力の供給を許可し、
前記許可指示手段は、前記許可指示手段に最も近い位置に配置された１つの前記切換制御手段に対して前記許可指示情報を出力し、
前記各切換制御手段は、
前記許可指示手段又は前記許可指示手段に近い側である上流側に配置された１つの前記切換制御手段から前記許可指示情報を受け付ける第１通信ポートと、
前記許可指示手段から離間する側である下流側に配置された１つの前記切換制御手段へ前記許可指示情報を出力する第２通信ポートと、を備え、
前記第１通信ポートから受け付けられた前記許可指示情報に含まれる識別情報が、前記各切換制御手段に対して予め設定された識別情報と一致するか否かを判定し、一致しないと判定された場合に、前記第２通信ポートから前記許可指示情報を出力することを特徴とする電力供給制御システム。
【発明の詳細な説明】
【技術分野】
【０００１】
本発明は、複数の車両にそれぞれ搭載された蓄電池に対して、複数の商用電源からそれぞれコンセントを介して供給する電力を制御する電力供給制御装置、及び、電力供給制御システムに関する。
【背景技術】
【０００２】
近年、電気自動車及びハイブリッド自動車等において、商用電源を用いて蓄電池（バッテリ）に充電を行うよう構成したプラグイン自動車が注目されている。また、商用電源からプラグイン自動車へ充電を行う際に、供給する電力を制御する種々の装置、方法等が提案されている。
【０００３】
例えば、複数の給電スペースを有し、各給電スペースにそれぞれ対応して設けられており電気自動車に対して電力を供給する給電装置、及び、各利用者の利用情報を管理する管理装置から構成される自動車充電システムが開示されている（特許文献１参照）。
【先行技術文献】
【特許文献】
【０００４】
【特許文献１】特開２０１０−２１３４９７号公報
【発明の概要】
【発明が解決しようとする課題】
【０００５】
しかしながら、特許文献１に記載の自動車充電システムでは、各給電スペースにそれぞれ対応して設けられており電気自動車に対して電力を供給する各給電装置が、制御部、ＵＩ部、ＩＣカード読み取り部、撮像部、通信部、電力供給部、給電プラグコネクタ、コネクタ遮蔽部、及び、車体情報取得部から構成されるため、各給電装置の製造コストが多大となり、その結果、自動車充電システムの製造コストが多大となる虞がある。特に、多数の給電装置を有する自動車充電システムを配設する場合には、その傾向が更に顕著となる。
【０００６】
また、各給電装置が、上述のような構成を備えるため、各給電装置のメンテナンスが煩雑となる虞がある。更に、各給電装置の敷設コストも多大となる虞がある。
【０００７】
本発明は、上記課題に鑑みてなされたものであって、複数の車両の蓄電池に供給する電力を簡素な構成で制御することの可能な電力供給制御装置、及び、電力供給システムを提供することを目的としている。
【課題を解決するための手段】
【０００８】
上記課題を解決するために、本発明に係る電力供給制御装置は、以下のように構成されている。
【０００９】
すなわち、本発明に係る電力供給制御装置は、複数の車両にそれぞれ搭載された蓄電池に対して、複数の商用電源からそれぞれコンセントを介して供給する電力を制御する電力供給制御装置であって、前記各商用電源と前記各コンセントとの間に介設され、前記各蓄電池への電力の供給を許可又は遮断する複数の切換手段と、前記各切換手段における電力の供給に関する許可又は遮断の切り換えをそれぞれ制御すると共に、予め識別情報が設定された複数の切換制御手段と、前記切換制御手段ごとに、予め設定された電力の供給を許可する条件である供給許可条件を満たすか否かを判定する許可判定手段と、電力の供給を
許可する旨の指示情報であって、前記許可判定手段によって供給許可条件を満たすと判定された切換指示手段に対応する識別情報が付与された許可指示情報を、前記各切換制御手段に対して出力する許可指示手段と、を備え、前記各切換制御手段が、前記許可指示情報を受け付けた場合に、前記許可指示情報に含まれる識別情報が、前記各切換制御手段に対して予め設定された識別情報と一致するか否かを判定し、一致すると判定された場合に前記切換手段に対して、前記蓄電池への電力の供給を許可する。
【００１０】
かかる構成を備える電力供給制御装置によれば、コンセント（切換制御手段）ごとに、予め設定された電力の供給を許可する条件である供給許可条件を満たすか否かが判定され、電力の供給を許可する旨の指示情報であって、供給許可条件を満たすと判定されたコンセントに対応する識別情報が付与された許可指示情報が、供給許可条件を満たすと判定されたコンセントに対応する切換制御手段に対して出力される。そして、各切換制御手段によって、許可指示情報を受け付けた場合に、許可指示情報に含まれる識別情報が、各切換制御手段に対して予め設定された識別情報と一致するか否かが判定され、一致すると判定された場合に、蓄電池への電力の供給が許可されるため、複数の車両の蓄電池に供給する電力を簡素な構成で制御することができる。
【００１１】
すなわち、サーバ装置等の上位の装置から許可指示情報が受信された場合に、受信された許可指示情報に含まれる識別情報が、切換制御手段に対して予め設定された識別情報と一致するときに、リレー等から構成される切換手段を介して、蓄電池への電力の供給が許可されるため、複数の車両の蓄電池に供給する電力を簡素な構成で制御することができるのである。
【００１２】
つまり、コンセントごとに電力の供給及び遮断を制御する装置（切換制御手段：下記の実施形態では、リレーコントローラ３）には、識別情報が一致するか否かを判断する機能と、リレー等から構成される切換手段に対して電力の供給及び遮断を指示する機能と、を備えればよいため、コンセントごとに電力の供給及び遮断を制御する装置を簡素な構成とすることができるのである。
【００１３】
また、本発明に係る電力供給制御装置は、前記識別情報が、前記各切換制御手段の位置を示すアドレス情報であることが好ましい。
【００１４】
かかる構成を備える電力供給制御装置によれば、前記識別情報が、前記各切換制御手段の位置を示すアドレス情報であるため、前記各切換制御手段に適正な識別情報を設定することができる。すなわち、サーバ装置等の通信機器は、アドレス情報を用いることによって、ＬＡＮ（Local Area Network）等のネットワークを介して、前記各切換制御手段に対して容易に許可指示情報等の種々の情報を送信することができる。
【００１５】
また、本発明に係る電力供給制御装置は、前記識別情報が、ＩＰ（Internet Protocol）アドレス情報であることが好ましい。
【００１６】
かかる構成を備える電力供給制御装置によれば、前記識別情報が、ＩＰアドレス情報であるため、前記各切換制御手段に更に適正な識別情報を設定することができる。すなわち、サーバ装置等の通信機器は、ＩＰアドレス情報を用いることによって、インターネット等のネットワークを介して、前記各切換制御手段に対して容易に許可指示情報等の種々の情報を送信することができる。
【００１７】
また、本発明に係る電力供給制御装置は、前記許可指示手段が、前記許可指示手段に最も近い位置（すなわち、最も上流側）に配置された１つの前記切換制御手段に対して前記許可指示情報を出力し、前記各切換制御手段が、前記許可指示手段又は前記許可指示手段
に近い側である上流側に配置された１つの前記切換制御手段から前記許可指示情報を受け付ける第１通信ポートと、前記許可指示手段から離間する側である下流側に配置された１つの前記切換制御手段へ前記許可指示情報を出力する第２通信ポートと、を備え、前記第１通信ポートから受け付けられた前記許可指示情報に含まれる識別情報が、前記各切換制御手段に対して予め設定された識別情報と一致するか否かを判定し、一致しないと判定された場合に、前記第２通信ポートから前記許可指示情報を出力することが好ましい。
【００１８】
かかる構成を備える電力供給制御装置によれば、前記許可指示手段によって、前記許可指示手段に最も近い位置に配置された１つの前記切換制御手段に対して前記許可指示情報が出力されるため、前記許可指示手段の処理が簡素化される。
【００１９】
また、前記各切換制御手段において、第１通信ポートから、前記許可指示手段又は前記許可指示手段に近い側である上流側に配置された１つの前記切換制御手段から前記許可指示情報が受け付けられ、受け付けられた前記許可指示情報に含まれる識別情報が、前記各切換制御手段に対して予め設定された識別情報と一致するか否かが判定される。そして、一致しないと判定された場合に、第２通信ポートから前記許可指示手段から離間する側である下流側に配置された１つの前記切換制御手段へ前記許可指示情報が出力される。
【００２０】
したがって、前記許可指示手段によって前記許可指示手段に最も近い位置に配置された１つの前記切換制御手段に対して出力された前記許可指示情報が、前記各切換制御手段に伝送されることになるため、前記許可指示手段からの前記許可指示情報を簡素な構成で前記各切換制御手段に伝送することができる。また、前記各切換制御手段が同一の機能を有するため、最下流側に配設された切換制御手段に更に切換制御手段を接続することによって、容易に切換制御手段を増設することができる。
【００２１】
また、本発明に係る電力供給制御装置は、前記切換制御手段ごとに、予め設定された電力の供給を遮断する条件である遮断条件を満たすか否かを判定する遮断判定手段と、前記遮断判定手段によって遮断条件を満たすと判定された切換制御手段に対応する識別情報が付与され、電力の供給を遮断する旨の指示情報である遮断指示情報を前記各切換制御手段に対して出力する遮断指示手段と、を更に備え、前記各切換制御手段が、前記遮断指示情報を受け付けた場合に、前記遮断指示情報に含まれる識別情報が、前記各切換制御手段に対して予め設定された識別情報と一致するか否かを判定し、一致すると判定された場合に前記切換手段を介して、前記蓄電池への電力の供給を遮断することが好ましい。
【００２２】
かかる構成を備える電力供給制御装置によれば、コンセント（切換制御手段）ごとに、予め設定された電力の供給を遮断する条件である遮断条件を満たすか否かが判定され、電力の供給を遮断する旨の指示情報であって、遮断条件を満たすと判定されたコンセントに対応する識別情報が付与された遮断指示情報が、遮断条件を満たすと判定されたコンセントに対応する切換制御手段に対して出力される。そして、各切換制御手段によって、遮断指示情報を受け付けた場合に、遮断指示情報に含まれる識別情報が、各切換制御手段に対して予め設定された識別情報と一致するか否かが判定され、一致すると判定された場合に、蓄電池への電力の供給が遮断されるため、複数の車両の蓄電池に供給する電力を簡素な構成で制御することができる。
【００２３】
すなわち、サーバ装置等の上位の装置から遮断指示情報が受信された場合に、受信された遮断指示情報に含まれる識別情報が、切換制御手段に予め設定された識別情報と一致するときに、リレー等から構成される切換手段を介して、蓄電池への電力の供給が遮断されるため、複数の車両の蓄電池に供給する電力を簡素な構成で制御することができるのである。
【００２４】
つまり、コンセントごとに電力の供給及び遮断を制御する装置（切換制御手段：下記の実施形態では、リレーコントローラ３）には、識別情報が一致するか否かを判断する機能と、リレー等から構成される切換手段に対して電力の供給及び遮断を指示する機能とを備えればよいため、コンセントごとに電力の供給及び遮断を制御する装置を簡素な構成とすることができるのである。
【００２５】
また、本発明に係る電力供給制御装置は、前記遮断条件が、前記各コンセントから給電されている車両に搭載された蓄電池が満充電状態であるとの条件を含むことが好ましい。
【００２６】
かかる構成を備える電力供給制御装置によれば、前記遮断条件が、前記各コンセントから給電されている車両に搭載された蓄電池が満充電状態であるとの条件を含むため、蓄電池が満充電状態になった場合に、車両の蓄電池に供給する電力を遮断することができる。したがって、蓄電池が満充電状態になった場合に、車両の蓄電池に供給する電力が遮断されるため、他の車両の蓄電池に電力を供給することが可能となるので、当該電力供給制御装置に配設された複数のコンセントを有効に利用することができる。
【００２７】
また、本発明に係る電力供給制御装置は、ユーザから車両に搭載された蓄電池への充電を所望する旨の充電要求を受け付ける要求受付手段と、前記要求受付手段によって充電要求が受け付けられた場合に、充電中の前記切換制御手段の個数である充電個数を求める充電個数算出手段と、を更に備え、前記許可判定手段が、前記充電個数が予め設定された個数閾値以下であるか否かに応じて、前記供給許可条件を満たすか否かを判定することが好ましい。
【００２８】
かかる構成を備える電力供給制御装置によれば、ユーザから車両に搭載された蓄電池への充電を所望する旨の充電要求を受け付けられた場合に、充電中の前記切換制御手段の個数である充電個数が求められる。そして、充電中の前記切換制御手段の個数である充電個数が予め設定された個数閾値（例えば、１０個）以下であるか否かに応じて、前記供給許可条件を満たすか否かが判定されるため、簡素な構成で給電許否を適正に判定することができる。
【００２９】
また、本発明に係る電力供給制御装置は、前記充電個数算出手段が、前記遮断判定手段によって前記切換制御手段の電力の供給が遮断された場合に、前記充電個数を求めることが好ましい。
【００３０】
かかる構成を備える電力供給制御装置によれば、前記切換制御手段の電力の供給が遮断された場合に、充電中の前記切換制御手段の個数である充電個数が求められるため、当該電力供給制御装置に配設された複数のコンセントを有効に利用することができる。
【００３１】
すなわち、ユーザから車両に搭載された蓄電池への充電を所望する旨の充電要求が受け付けられ、充電中の前記切換制御手段の個数である充電個数が予め設定された個数閾値より大である場合には、前記供給許可条件を満たさないと判定され、車両に搭載された蓄電池への充電を開始することができない。その後、前記切換制御手段の電力の供給が遮断された場合に、充電中の前記切換制御手段の個数である充電個数が求められるため、求められた充電個数が予め設定された個数閾値以下であると判定されて、車両に搭載された蓄電池への充電を開始することができることになるので、当該電力供給制御装置に配設された複数のコンセントを有効に利用することができるのである。
【００３２】
また、本発明に係る電力供給制御装置は、前記各切換手段と前記各コンセントとの間に介設され、各商用電源から前記各蓄電池へ供給される電力値を検出する電力検出手段と、ユーザから車両に搭載された蓄電池への充電を所望する旨の充電要求を受け付ける要求受
付手段と、前記要求受付手段によって充電要求が受け付けられた場合に、前記電力検出手段によって検出された電力値の和である充電電力を求める充電電力算出手段と、を更に備え、前記許可判定手段が、前記充電電力が予め設定された電力閾値以下であるか否かに応じて、前記供給許可条件を満たすか否かを判定することが好ましい。
【００３３】
かかる構成を備える電力供給制御装置によれば、ユーザから車両に搭載された蓄電池への充電を所望する旨の充電要求が受け付けられた場合に、検出された各商用電源から前記各蓄電池へ供給される電力値の和である充電電力が求められる。そして、各商用電源から前記各蓄電池へ供給される電力値の和である充電電力が予め設定された電力閾値（例えば、３００ｋＷ）以下であるか否かに応じて、前記供給許可条件を満たすか否かが判定されるため、簡素な構成で給電許否を適正に判定することができる。
【００３４】
また、本発明に係る電力供給制御装置は、前記充電電力算出手段が、前記遮断判定手段によって前記切換制御手段の電力の供給が遮断された場合に、前記充電電力を求めることが好ましい。
【００３５】
かかる構成を備える電力供給制御装置によれば、前記切換制御手段の電力の供給が遮断された場合に、各商用電源から前記各蓄電池へ供給される電力値の和である充電電力が求められるため、当該電力供給制御装置に配設された複数のコンセントを有効に利用することができる。
【００３６】
すなわち、ユーザから車両に搭載された蓄電池への充電を所望する旨の充電要求が受け付けられ、各商用電源から前記各蓄電池へ供給される電力値の和である充電電力が予め設定された電力閾値より大である場合には、前記供給許可条件を満たさないと判定され、車両に搭載された蓄電池への充電を開始することができない。その後、前記切換制御手段の電力の供給が遮断された場合に、各商用電源から前記各蓄電池へ供給される電力値の和である充電電力が求められるため、求められた充電電力が予め設定された電力閾値以下であると判定されて、車両に搭載された蓄電池への充電を開始することができる可能性があるので、当該電力供給制御装置に配設された複数のコンセントを有効に利用することができるのである。
【００３７】
また、本発明に係る電力供給制御装置は、前記各切換手段と前記各コンセントとの間に介設され、各商用電源から前記各蓄電池へ供給される電流値を検出する電流検出手段と、ユーザから車両に搭載された蓄電池への充電を所望する旨の充電要求を受け付ける要求受付手段と、前記要求受付手段によって充電要求が受け付けられた場合に、前記電流検出手段によって検出された電流値の和である充電電流を求める充電電流算出手段と、を更に備え、前記許可判定手段が、前記充電電流が予め設定された電流閾値以下であるか否かに応じて、前記供給許可条件を満たすか否かを判定することが好ましい。
【００３８】
かかる構成を備える電力供給制御装置によれば、ユーザから車両に搭載された蓄電池への充電を所望する旨の充電要求が受け付けられた場合に、検出された各商用電源から前記各蓄電池へ供給される電流値の和である充電電流が求められる。そして、各商用電源から前記各蓄電池へ供給される電流値の和である充電電流が予め設定された電流閾値（例えば、１５００Ａ）以下であるか否かに応じて、前記供給許可条件を満たすか否かが判定されるため、簡素な構成で給電許否を適正に判定することができる。
【００３９】
また、本発明に係る電力供給制御装置は、前記充電電力算出手段が、前記遮断判定手段によって前記切換制御手段の電力の供給が遮断された場合に、前記充電電流を求めることが好ましい。
【００４０】
かかる構成を備える電力供給制御装置によれば、前記切換制御手段の電力の供給が遮断された場合に、各商用電源から前記各蓄電池へ供給される電流値の和である充電電流が求められるため、当該電力供給制御装置に配設された複数のコンセントを有効に利用することができる。
【００４１】
すなわち、ユーザから車両に搭載された蓄電池への充電を所望する旨の充電要求が受け付けられ、各商用電源から前記各蓄電池へ供給される電流値の和である充電電流が予め設定された電流閾値より大である場合には、前記供給許可条件を満たさないと判定され、車両に搭載された蓄電池への充電を開始することができない。その後、前記切換制御手段の電力の供給が遮断された場合に、各商用電源から前記各蓄電池へ供給される電流値の和である充電電流が求められるため、求められた充電電力が予め設定された電力閾値以下であると判定されて、車両に搭載された蓄電池への充電を開始することができる可能性があるので、当該電力供給制御装置に配設された複数のコンセントを有効に利用することができるのである。
【００４２】
更に、上記課題を解決するために、本発明に係る電力供給制御システムは、以下のように構成されている。
【００４３】
すなわち、本発明に係る電力供給制御システムは、サーバ装置と、給電制御装置とが、ネットワークを介して通信可能に接続され、複数の車両にそれぞれ搭載された蓄電池に対して、複数の商用電源からそれぞれコンセントを介して供給する電力を制御する電力供給制御システムであって、前記給電制御装置が、前記サーバ装置との間の通信を制御する通信制御手段と、前記各商用電源と前記各コンセントとの間に介設され、前記各蓄電池への電力の供給を許可又は遮断する複数の切換手段と、前記各切換手段に対して、それぞれ、電力の供給に関する許可又は遮断の切り換えを制御すると共に、予め識別情報が設定された複数の切換制御手段と、を備え、前記サーバ装置が、前記切換制御手段ごとに、予め設定された電力の供給を許可する条件である供給許可条件を満たすか否かを判定する許可判定手段と、前記許可判定手段によって供給許可条件を満たすと判定された切換指示手段に対応する識別情報が付与され、電力の供給を許可する許可指示情報を前記給電制御装置に対して送信する許可指示手段と、を備え、前記通信制御手段が、前記許可指示情報を受信した場合に、受信した前記許可指示情報を、前記各切換制御手段へ伝送し、前記各切換制御手段が、前記許可指示情報を受け付けた場合に、前記許可指示情報に含まれる識別情報が、前記各切換制御手段に対して予め設定された識別情報と一致するか否かを判定し、一致すると判定された場合に前記各切換手段に対して、前記各蓄電池への電力の供給を許可する。
【００４４】
かかる構成を備える電力供給制御システムによれば、サーバ装置において、コンセント（切換制御手段）ごとに、予め設定された電力の供給を許可する条件である供給許可条件を満たすか否かが判定され、電力の供給を許可する旨の指示情報であって、供給許可条件を満たすと判定されたコンセントに対応する識別情報が付与された許可指示情報が、供給許可条件を満たすと判定されたコンセントに対応する給電制御装置の切換制御手段に対して出力される。そして、給電制御装置において、各切換制御手段によって、許可指示情報を受け付けた場合に、許可指示情報に含まれる識別情報が、各切換制御手段に対して予め設定された識別情報と一致するか否かが判定され、一致すると判定された場合に、蓄電池への電力の供給が許可されるため、複数の車両の蓄電池に供給する電力を簡素な構成で制御することができる。
【００４５】
すなわち、給電制御装置の切換制御手段によって、サーバ装置から許可指示情報が受信された場合に、受信された許可指示情報に含まれる識別情報が、予めコンセント（切換制御手段）に付与された識別情報と一致するときに、リレー等から構成される切換手段を介
して、蓄電池への電力の供給が許可されるため、複数の車両の蓄電池に供給する電力を簡素な構成で制御することができるのである。
【００４６】
つまり、コンセントごとに電力の供給及び遮断を制御する装置（切換制御手段：下記の実施形態では、リレーコントローラ３）には、識別情報が一致するか否かを判断する機能と、リレー等から構成される切換手段に対して電力の供給及び遮断を指示する機能とを備えればよいため、コンセントごとに電力の供給及び遮断を制御する装置を簡素な構成とすることができるのである。
【発明の効果】
【００４７】
本発明に係る電力供給制御装置、及び、電力供給制御システムによれば、複数の車両の蓄電池に供給する電力を簡素な構成で制御することができる。
【図面の簡単な説明】
【００４８】
【図１】本発明に係る電力供給制御システムの一例を示す全体構成図である。
【図２】図１に示す電力供給制御システムに配設されるリレーコントローラ等の接続状態の一例を示す配線図である。
【図３】図１に示す認証制御装置等が収納された筐体及びコンセントの配設位置の一例を示す平面図である。
【図４】図１に示す電力供給制御システムに配設される認証制御装置のハードウェア構成の一例を示すブロック図である。
【図５】図１に示す電力供給制御システムに配設されるリレーコントローラのハードウェア構成の一例を示すブロック図である。
【図６】図１に示す電力供給制御システムの機能構成の一例を示すブロック図である。
【図７】図２に示す配線図において、サーバ装置からの指示情報がリレーへ伝送される経路を示す説明図である。
【図８】図２に示す配線図において、ＣＴの検出結果に基づき生成された情報がサーバ装置へ伝送される経路を示す説明図である。
【図９】図１に示す電力供給制御システムの動作に一例を示すラダー図である。
【図１０】図１に示す電力供給制御システムに配設されるリレーコントローラの動作の一例を示すフローチャートである。
【図１１】図１に示す電力供給制御システムに配設される認証制御装置の動作の一例を示すフローチャートである。
【図１２】図１に示す電力供給制御システムに配設されるサーバ装置の動作の一例を示すフローチャート（前半部）である。
【図１３】図１に示す電力供給制御システムに配設されるサーバ装置の動作の一例を示すフローチャート（後半部）である。
【図１４】図１２のステップＳ１１５及び図１３のステップＳ１４１で実行される給電許否判定処理の一例を示す詳細フローチャートである。
【発明を実施するための形態】
【００４９】
以下、本発明の実施形態を図面に基づいて説明する。
【００５０】
−電力供給制御システム１００の全体構成−
図１は、本発明に係る電力供給制御システム１００の一例を示す全体構成図である。以下に、図１を参照して電力供給制御システム１００の全体構成について説明する。電力供給制御システム１００は、車両に搭載された蓄電池に対して、商用電源からコンセントを介して供給する電力を制御する電力供給制御システムであって、サーバ装置１、認証制御装置２、リレーコントローラ３、リレー４、ＣＴ（Current Transformer：計器用変流器
）５、及び、携帯電話機７を備えている。なお、サーバ装置１、認証制御装置２、及び、携帯電話機７は、ネットワーク８（ここでは、インターネット）を介して、互いに通信可能に接続されている。なお、特許請求の範囲に記載の電力供給制御システムを構成する「給電制御装置」は、認証制御装置２、リレーコントローラ３、リレー４、及び、ＣＴ５に相当する。
【００５１】
サーバ装置１は、インターネット８を介して、認証制御装置２及び携帯電話機７と通信可能に接続され、電力供給制御システム１００全体の動作を制御するものである。サーバ装置１は、認証制御装置２から認証情報を受信して、予め登録された認証情報と照合することによって個人認証処理を行う。また、サーバ装置１は、ＣＴ５によって検出された電流値信号に基づいてリレーコントローラ３によって求められた電力値情報等を認証制御装置２から受信して、満充電等の判定を行う。更に、サーバ装置１は、認証制御装置２に対して、各種画面を表示する旨の指示情報、及び、リレー４を開（又は、閉）する旨の指示情報等を送信する。加えて、サーバ装置１は、携帯電話機７に対して各種のメールを送信する。
【００５２】
認証制御装置２は、例えば、蓄電池の充電を所望する電気自動車が駐車される駐車場の出入り口近傍に配設され（図３参照）、ユーザの個人認証情報（ここでは、例えば、ＩＣカード等に格納されたユーザＩＤ情報）を受け付けてサーバ装置１へ送信すると共に、ユーザが駐車を所望する駐車場の区画の識別情報（例えば、コンセント番号情報）をサーバ装置１へ送信する。なお、認証制御装置２は、特許請求の範囲に記載の「要求受付手段」の一部に相当する。また、認証制御装置２は、特許請求の範囲に記載の「通信制御手段」に相当する。
【００５３】
また、認証制御装置２は、複数個（例えば、３２個）のリレーコントローラ３１、３２、・・・、３ｎ（ここでは、ｎ＝３２）と通信可能に接続されている。なお、リレーコントローラ３１、３２、・・・、３ｎは、同一の構成を有しているため、以下の説明においては、リレーコントローラ３と総称することもある。リレーコントローラ３（ここでは、図６に示す開閉部３０２）は、特許請求の範囲に記載された「切換制御手段」に相当する。また、リレーコントローラ３１、３２、・・・、３ｎには、それぞれ、予め識別情報（ここでは、ＩＰアドレス情報）が設定されている。
【００５４】
リレーコントローラ３１、３２、・・・、３ｎ（ここでは、ｎ＝３２）には、それぞれ、リレー４１、４２、・・・、４ｎ（ここでは、ｎ＝３２）、及び、ＣＴ５１、５２、・・・、５ｎ（ここでは、ｎ＝３２）が接続されている。なお、リレー４１、４２、・・・、４ｎは、同一の構成を有しているため、以下の説明においては、リレー４と総称することもある。リレー４は、特許請求の範囲に記載された「切換手段」に相当する。また、ＣＴ５１、５２、・・・、５ｎは、同一の構成を有しているため、以下の説明においては、ＣＴ５と総称することもある。ＣＴ５は、特許請求の範囲に記載された電力検出手段の一部に相当する。
【００５５】
携帯電話機７は、サーバ装置１に電力供給制御システム１００のユーザとしてメールアドレスが登録されている携帯電話機であって、サーバ装置１から充電完了通知メール等の種々のメールを受信し、ユーザに視認可能に表示するものである。
【００５６】
図２は、図１に示す電力供給制御システム１００に配設されるリレーコントローラ３等の接続状態の一例を示す配線図である。以下、図２を参照して、電力供給制御システム１００の構成を説明する。
【００５７】
リレー４ｋ（ここで、ｋ＝１、２、・・・、ｎ）は、商用電源とコンセント６ｋとの間
に介設され、商用電源からの電力をコンセント６ｋから車両に搭載された蓄電池に給電可能にするか、給電を遮断するかを切り換えるものである。なお、リレー４ｋに対して給電及び遮断を切り換える指示情報は、サーバ装置１から送出され、認証制御装置２及びリレーコントローラ３ｋを順次介してリレー４ｋに指示信号として入力される（詳細は、図７を用いて後述する）。また、コンセント６１、６２、・・・、６ｎは、同一の構成を有しているため、以下の説明においては、コンセント６と総称することもある。
【００５８】
ＣＴ５ｋ（ここで、ｋ＝１、２、・・・、ｎ）は、商用電源からコンセント６ｋを介して車両に搭載された蓄電池に供給される電流値を検出するものである。ＣＴ５ｋは、検出された電流値を示す信号をリレーコントローラ３ｋに出力する。ＣＴ５ｋから送出された電流値を示す信号に基づいて、リレーコントローラ３ｋによって電力値が求められ、求められた電力値情報は、認証制御装置２を介してサーバ装置１へ伝送される（詳細は、図８を用いて後述する）。
【００５９】
リレーコントローラ３ｋ（ここで、ｋ＝１、２、・・・、ｎ）は、ＣＴ５ｋから入力される電流値から電力値を求め、求められた電力値を示す情報に、リレーコントローラ３ｋに予め設定されたＩＰアドレス情報を付与して、認証制御装置２を介してサーバ装置１へ送信する。
【００６０】
ここで、例えば、リレーコントローラ３２は、認証制御装置２と直接に接続されているのではなく、リレーコントローラ３１を介して認証制御装置２と通信可能に接続されている。また、例えば、リレーコントローラ３３は、リレーコントローラ３２及びリレーコントローラ３１を介して認証制御装置２と通信可能に接続されている。同様にして、リレーコントローラ３ｍ（ｍ＝４、・・・、ｎ）は、リレーコントローラ３（ｍ−１）、リレーコントローラ３（ｍ−２）、・・・、及び、リレーコントローラ３１を介して認証制御装置２と通信可能に接続されている。
【００６１】
また、リレーコントローラ３ｋ（ここで、ｋ＝１、２、・・・、ｎ）は、第１通信ポート３ｋａと、第２通信ポート３ｋｂとを備えている。
【００６２】
第１通信ポート３ｋａ（ここで、ｋ＝１、２、・・・、ｎ）は、認証制御装置２又は認証制御装置２に近い側である上流側に配置された１つのリレーコントローラ３（ｋ−１）から許可指示情報等の種々の情報を受信するポートである。また、第１通信ポート３ｋａは、下流側のリレーコントローラ３（ｋ＋１）から第２通信ポート３ｋｂを介して受信された電力値情報等の種々の情報を、リレーコントローラ３（ｋ−１）に対して送信するポートである。なお、第１通信ポート３１ａ、３２ａ、・・・、３ｎａは、同一の構成を有しているため、以下の説明においては、第１通信ポート３ａと総称することもある。
【００６３】
第２通信ポート３ｋｂ（ここで、ｋ＝１、２、・・・、ｎ）は、下流側に配置された１つのリレーコントローラ３（ｋ＋１）から電力値情報等の種々の情報を受信するポートである。また、第２通信ポート３ｋｂは、認証制御装置２又は認証制御装置２に近い側である上流側に配置された１つのリレーコントローラ３（ｋ−１）から第１通信ポート３ｋａを介して受信された許可指示情報等の種々の情報を、下流側に配置された１つのリレーコントローラ３（ｋ＋１）に対して送信するポートである。なお、第２通信ポート３１ｂ、３２ｂ、・・・、３ｎｂは、同一の構成を有しているため、以下の説明においては、第２通信ポート３ｂと総称することもある。
【００６４】
ここで、リレーコントローラ３間の通信、及び、リレーコントローラ３１と認証制御装置２との間の通信は、例えば、ＴＩＡ（Telecommunications Industry Association）−４８５規格での通信である。
【００６５】
また、認証制御装置２、３２個のリレーコントローラ３、３２個のリレー４、及び、３２個のＣＴ５は、筐体２Ａに収納されている。更に、コンセント６１、６２、・・・、６ｎは、それぞれ、対応する駐車場の区画に配置されている（図３参照）。
【００６６】
本実施形態では、リレー４が商用電源からの電力をコンセント６から車両に搭載された蓄電池に給電可能にするか、給電を遮断するかを切り換える場合について説明するが、その他の種類のスイッチ（例えば、トランジスタスイッチ等）が商用電源からの電力をコンセント６から車両に搭載された蓄電池に給電可能にするか、給電を遮断するかを切り換える形態でもよい。
【００６７】
また、本実施形態では、ＣＴ５が商用電源から蓄電池に供給される電流値を検出する場合について説明するが、その他の種類の検出器（例えば、電圧降下を検出する抵抗形電流計等）が商用電源から蓄電池に供給される電流値又は電力値を検出する形態でもよい。
【００６８】
更に、本実施形態では、個人認証情報が、ＩＣカードに記憶されたＩＤ情報である場合について説明するが、個人認証情報が、その他の情報（例えば、指紋情報、網膜情報等）である形態でもよい。また、個人認証情報が、携帯電話機等に記憶されたＩＤ情報である形態でもよい。
【００６９】
図３は、図１に示す認証制御装置２等が収納された筐体２Ａ及びコンセント６の配設位置の一例を示す平面図である。図に示すように、車両が駐車される区画には、それぞれ、１〜３２までの番号（以下、区画番号という）が付与されており、且つ、区画内に視認可能に表記されている。ここでは、区画番号１〜８に対応する区画が左端の一列に配置され、その右側に、順次、区画番号９〜１６に対応する区画、区画番号１７〜２４に対応する区画、及び、区画番号２５〜３２に対応する区画が配置されている。また、筐体２Ａは、駐車場の入口近傍に配置されている。
【００７０】
区画番号１〜３２に対応する各区画の車輪止めの後方（車両が後ろ向きで駐車した場合に、車両の後端位置近傍）に、それぞれ、コンセント６１〜６ｎが配置されている。３２個のコンセント６１〜６ｎは、それぞれ、筐体２Ａに収納されている３２個のリレー４を介して、商用電源に接続されている。
【００７１】
車両に搭載された蓄電池の充電を所望するユーザは、駐車場の入口近傍に配置された筐体２Ａに収納されている認証制御装置２で個人認証を行うために、ＩＣカードに記憶されたユーザＩＤ等を認証制御装置２に備えられたカードリーダ２１５（図４参照）に読み取らせる。そして、個人認証が成功すれば、ユーザは、３２個の区画番号の中から、使用中でなく且つ予約されていない区画番号、又は、自分自身が予約している区画番号を、認証制御装置２に備えられたテンキー等の入力部２１４（図４参照）を介して選択入力する。選択入力された区画番号情報がサーバ装置１に送信され、給電が許可されれば、前記区画番号情報に対応する区画に配設されたコンセント６からの給電が可能となる。したがって、ユーザは、車両を前記区画番号情報に対応する区画に駐車して、プラグをコンセント６に差し込むことによって車両に搭載された蓄電池への給電が開始される。
【００７２】
なお、本実施形態では、筐体２Ａに引き込まれている電力線は、例えば、同時に車両１０台分の充電が可能な容量（例えば、３００ｋＷ）であって、車両に供給可能な総電流の最大値は、例えば、１５００Ａである。すなわち、図３に示す駐車場には、３２台の車両を駐車することが可能なスペースを有しているが、同時に充電が可能な車両台数は１０台である。したがって、同時に１０台の車両の蓄電池を充電しているときに、充電を所望するユーザが個人認証に成功して、空きの区画番号を選択入力した場合には、当該ユーザに
対してサーバ装置１から給電が許可されることはない。この場合には、例えば、同時に充電が可能な車両台数を超えているために充電を開始することができないことを示す待機中画面が認証制御装置２のＬＣＤ２１６に表示される。
【００７３】
また、認証制御装置２、３２個のリレーコントローラ３、３２個のリレー４、及び、３２個のＣＴ５が、筐体２Ａに収納されているため、認証制御装置２、リレーコントローラ３、リレー４、及び、ＣＴ５のメンテナンスが容易となる。更に、図３に示す駐車場が屋外にある場合には、筐体２Ａ及びコンンセント６を防水構造にすればよいため、電力供給制御システム１００の製造コストを低減することができる。
【００７４】
図４は、図１に示す電力供給制御システムに配設される認証制御装置２のハードウェア構成の一例を示すブロック図である。認証制御装置２は、ＣＰＵ（Central Processing Unit）２１１、ＲＯＭ（Read Only Memory）２１２、ＲＡＭ（Random Access Memory）２１３、入力部２１４、カードリーダ２１５、及び、ＬＣＤ（Liquid Crystal Display）２１６を備え、これらが、バス２１７を介して通信可能に接続されている。
【００７５】
ＣＰＵ２１１は、認証制御装置２全体の動作を制御するものである。図１１等を参照して後述するように、具体的には、例えば、ＣＰＵ２１１は、カードリーダ２１５を介して、ＩＣカード等に格納されたユーザＩＤ情報を読み取って、読み取られたユーザＩＤ情報を、インターネット８を介してサーバ装置１へ送信する。また、例えば、ＣＰＵ２１１は、サーバ装置１からの指示に従って、ＬＣＤ２１６に種々の画面を表示する。更に、例えば、ＣＰＵ２１１は、テンキー等の入力部２１４を介して入力された駐車場の区画番号情報を受け付けて、受け付けられた区画番号情報（＝コンセント番号情報）を、インターネット８を介してサーバ装置１へ送信する。
【００７６】
ＲＯＭ２１２は、ＣＰＵ２１１によって実行される制御プログラム等を予め記憶するメモリである。ＲＡＭ２１３は、ＣＰＵ２１１の作業領域等として一時的に種々の情報を記憶するメモリである。
【００７７】
入力部２１４は、テンキー等を備え、ユーザからの操作入力を受け付けるものである。入力部２１４は、例えば、駐車場の区画番号情報（＝コンセント番号情報）を受け付ける。カードリーダ２１５は、ＩＣカード等に格納されたユーザＩＤ情報等を読み取るものである。カードリーダ２１５によって読み取られたユーザＩＤ情報は、個人認証に用いられる。
【００７８】
ＬＣＤ２１６は、ユーザに対するガイダンス情報等を示す種々の画面を表示するものである。ＬＣＤ２１６は、例えば、ユーザに対してＩＣカードをカードリーダ２１５に読み取らせる操作を指示する画面、ユーザに対して駐車場の区画番号の入力を促す画面等を表示する。
【００７９】
図５は、図１に示す電力供給制御システム１００に配設されるリレーコントローラ３のハードウェア構成の一例を示すブロック図である。リレーコントローラ３は、ＣＰＵ３１１、ＲＯＭ３１２、ＲＡＭ３１３、スイッチ部３１４、ＬＥＤ（Light Emitting Diode）３１５、第１通信制御部３１６、及び、第２通信制御部３１７を備え、これらが、バス３１８を介して通信可能に接続されている。
【００８０】
ＣＰＵ３１１は、リレーコントローラ３全体の動作を制御するものである。図６等を用いて後述するように、具体的には、例えば、ＣＰＵ３１１は、サーバ装置１からインターネット８及び認証制御装置２を介して入力される指示情報に基づいて、リレー４のＯＮ／ＯＦＦを制御する。また、例えば、ＣＰＵ３１１は、ＣＴ５から入力される電流値信号に
基づいて、電力値を求め、求められた電力値情報を認証制御装置２及びインターネット８を介して、サーバ装置１へ送信する。
【００８１】
ＲＯＭ３１２は、ＣＰＵ３１１によって実行される制御プログラム等を予め記憶するメモリである。ＲＡＭ３１３は、ＣＰＵ３１１の作業領域等として一時的に種々の情報を記憶するメモリである。
【００８２】
スイッチ部３１４は、いわゆる「緊急停止ボタン」として機能するスイッチであって、ユーザからの操作入力を受け付けて、リレー４を強制的にＯＦＦする押しボタンスイッチ等のスイッチである。
【００８３】
ＬＥＤ３１５は、例えば、緑色のＬＥＤ及び赤色のＬＥＤを備え、リレーコントローラ３の状態を外部から視認可能に表示するものである。例えば、リレーコントローラ３が正常に動作している場合には、緑色のＬＥＤが点灯される。また、リレー４がＯＮ状態であって、車両の蓄電池への充電が正常に行われている場合には、赤色のＬＥＤが点灯される。更に、漏電等の異常を検出している場合には、赤色のＬＥＤが点滅される。
【００８４】
第１通信制御部３１６は、第１通信ポート３ａから入力される種々の情報を受け付けて、ＣＰＵ３１１へ出力すると共に、ＣＰＵ３１１からの指示に基づいて、種々の情報を第１通信ポート３ａから出力するものである。
【００８５】
第２通信制御部３１７は、第２通信ポート３ｂから入力される種々の情報を受け付けて、ＣＰＵ３１１へ出力すると共に、ＣＰＵ３１１からの指示に基づいて、種々の情報を第２通信ポート３ｂから出力するものである。
【００８６】
−電力供給制御システム１００の機能構成−
図６は、図１に示す電力供給制御システム１００の機能構成の一例を示すブロック図である。サーバ装置１は、ＣＰＵ、ＲＯＭ、ＲＡＭ、ＨＤＤ（Hard disk drive）等を備えている。ＣＰＵは、ＲＯＭ等に記憶された制御プログラム等を読み出して実行するものである。ＲＯＭは、制御プログラム等を予め記憶するメモリである。ＲＡＭは、作業用メモリ、一時記憶メモリ等として使用されるメモリである。ＨＤＤは、個人認証に用いるＩＤ情報等の種々の情報を記憶するメモリである。
【００８７】
サーバ装置１は、ここでは、ＲＯＭに格納された制御プログラムを読み出して、ＣＰＵで実行することによって、電力受信部１０１、満充電判定部１０２、遮断判定部１０３、遮断指示部１０４、充電個数算出部１０５、充電電力算出部１０６、認証部１０７、許可判定部１０８、及び、許可指示部１０９として機能するものである。
【００８８】
リレーコントローラ３は、ここでは、ＲＯＭ３１２に格納された制御プログラムを読み出して、ＣＰＵ３１１で実行することによって、通信制御部３０１、開閉部３０２及び検出部３０３として機能するものである。
【００８９】
通信制御部３０１は、第１通信ポート３ａ及び第２通信ポート３ｂを介して通信される情報を制御する機能部である。リレーコントローラ３ｋ（ｋ＝１、２、・・・、ｎ）のＣＰＵ３１１に形成された通信制御部３０１の機能について、具体的に説明する。
【００９０】
通信制御部３０１は、サーバ装置１から送出され、認証制御装置２を介して入力される給電又は遮断を切り換える指示情報（許可指示情報、遮断指示情報）が第１通信ポート３ａから入力された場合には、当該指示情報に含まれるＩＰアドレスが、リレーコントローラ３ｋに付与されたＩＰアドレスと一致するか否かを判定する機能部である。なお、通信
制御部３０１は、特許請求の範囲に記載の「通信制御手段」の一部に相当する。また、指示情報に含まれるＩＰアドレスがリレーコントローラ３ｋに付与されたＩＰアドレスと一致する場合には、開閉部３０２を介して、当該指示情報に従って、リレー４ｋを開閉制御する。一方、指示情報に含まれるＩＰアドレスがリレーコントローラ３ｋに付与されたＩＰアドレスと一致しない場合には、当該指示情報を第２通信ポート３ｂから下位のリレーコントローラ３（ｋ＋１）へ送出する。
【００９１】
更に、通信制御部３０１は、下位のリレーコントローラ３（ｋ＋１）から電力値情報が第２通信ポート３ｂを介して入力された場合には、入力された電力値情報を、第１通信ポート３ａから、上位のリレーコントローラ３（ｋ−１）又は認証制御装置２へ送出する。
【００９２】
図７は、図２に示す配線図において、サーバ装置１からの指示情報（許可指示情報、遮断指示情報）がリレー４へ伝送される経路を示す説明図である。ここでは、サーバ装置１からの指示情報がリレー４３へ伝送される経路について図７を参照して説明する。なお、サーバ装置１からの指示情報がリレー４３へ伝送される経路は、図７において太線で伝送方向を示す矢印を付して示している。
【００９３】
まず、サーバ装置１からの指示情報は、インターネット８を介して認証制御装置２で受信される。そして、受信された指示情報は、認証制御装置２からリレーコントローラ３１の第１通信ポート３１ａへ送信される。リレーコントローラ３１の通信制御部３０１は、第１通信ポート３２ａを介して受信された指示情報に付与されたＩＰアドレスがリレーコントローラ３１に予め付与されているＩＰアドレスと一致しないと判断し、リレーコントローラ３１の第２通信ポート３１ｂから、リレーコントローラ３２の第１通信ポート３２ａへ送信する。
【００９４】
次に、リレーコントローラ３２の通信制御部３０１は、第１通信ポート３２ａを介して受信された指示情報に付与されたＩＰアドレスがリレーコントローラ３２に予め付与されているＩＰアドレスと一致しないと判断し、リレーコントローラ３２の第２通信ポート３２ｂから、リレーコントローラ３３の第１通信ポート３３ａへ送信する。
【００９５】
そして、リレーコントローラ３３の通信制御部３０１は、第１通信ポート３３ａを介して受信された指示情報に付与されたＩＰアドレスがリレーコントローラ３３に予め付与されているＩＰアドレスと一致すると判断し、開閉部３０２（図６参照）を介して、指示情報の指示に基づいて、リレー４３をＯＮ／ＯＦＦ制御する。
【００９６】
このようにして、サーバ装置１から許可指示情報が受信された場合に、受信された許可指示情報に含まれるＩＰアドレスが、予めコンセント６（リレーコントローラ３）に付与されたＩＰアドレスと一致するときに、リレー４を介して、蓄電池への電力の供給が許可されるため、複数の車両の蓄電池に供給する電力を簡素な構成で制御することができるのである。
【００９７】
つまり、コンセント６ごとに電力の供給及び遮断を制御するリレーコントローラ３には、ＩＰアドレスが一致するか否かを判断する機能（通信制御部３０１の機能に相当する）と、リレー４に対して電力の供給及び遮断を指示する機能（開閉部３０２の機能に相当する）とを備えればよいため、コンセント６ごとに電力の供給及び遮断を制御する装置（ここでは、リレーコントローラ３）を簡素な構成とすることができるのである。
【００９８】
また、リレーコントローラ３に付与された識別情報が、ＩＰアドレス情報であるため、リレーコントローラ３に更に適正な識別情報を設定することができる。すなわち、サーバ装置１等の通信機器は、ＩＰアドレス情報を用いることによって、インターネット８等の
ネットワークを介して、リレーコントローラ３に対して容易に許可指示情報等の種々の情報を送信することができる。
【００９９】
本実施形態では、リレーコントローラ３に付与された識別情報がＩＰアドレスである場合について説明するが、リレーコントローラ３に付与された識別情報が、その他の識別情報である形態でもよい。例えば、リレーコントローラ３に付与された識別情報が、リレーコントローラ３の位置を示すアドレス情報である場合には、リレーコントローラ３に適正な識別情報を設定することができる。すなわち、サーバ装置１等の通信機器は、アドレス情報を用いることによって、ＬＡＮ（Local Area Network）等のネットワークを介して、リレーコントローラ３に対して容易に許可指示情報等の種々の情報を送信することができる。
【０１００】
また、リレーコントローラ３ｋ（ｋ＝１、２、・・・、ｎ）の通信制御部３０１によって、第１通信ポート３ｋａから、認証制御装置２又は認証制御装置２に近い側である上流側に配置された１つのリレーコントローラ３（ｋ−１）から許可指示情報（又は、遮断指示情報）が受け付けられ、受け付けられた許可指示情報（又は、遮断指示情報）に含まれるＩＰアドレス情報が、リレーコントローラ３ｋに対して予め設定されたＩＰアドレス情報と一致するか否かが判定される。そして、一致しないと判定された場合に、リレーコントローラ３ｋの通信制御部３０１によって、第２通信ポート３ｂから認証制御装置２から離間する側である下流側に配置された１つのリレーコントローラ３（ｋ＋１）へ許可指示情報（又は、遮断指示情報）が出力される。したがって、サーバ装置１（具体的には、許可指示部１０９）によって認証制御装置２に最も近い位置に配置された１つのリレーコントローラ３１に対して出力された許可指示情報（又は、遮断指示情報）が、リレーコントローラ３ｋ（ｋ＝２、３、・・・、ｎ）に伝送されることになるため、サーバ装置１（具体的には、許可指示部１０９、又は、遮断指示部１０４）からの許可指示情報（又は、遮断指示情報）を簡素な構成でリレーコントローラ３ｋ（ｋ＝１、２、・・・、ｎ）に伝送することができる。
【０１０１】
更に、各リレーコントローラ３ｋ（ｋ＝１、２、・・・、ｎ）が同一の機能を有するため、最下流側に配設されたリレーコントローラ３ｎの第２通信ポート３ｂに更にリレーコントローラ３（ｎ＋１）の第１通信ポート３ａを接続することによって、容易にリレーコントローラを増設することができる。
【０１０２】
本実施形態では、リレーコントローラ３ｋが、認証制御装置２又は上流側に配置された１つのリレーコントローラ３（ｋ−１）、及び、下流側に配置された１つのリレーコントローラ３（ｋ＋１）と通信可能に接続されている場合について説明するが、認証制御装置２と各リレーコントローラ３ｋ（ｋ＝１、２、・・・、ｎ）が、ハブ等を介して通信可能に接続されている形態でもよい。この場合には、認証制御装置２と各リレーコントローラ３ｋとの間の通信時間が短縮される。
【０１０３】
図８は、図２に示す配線図において、ＣＴ５３の検出結果に基づき生成された電力値情報がサーバ装置１へ伝送される経路を示す説明図である。ここでは、ＣＴ５３の検出結果に基づき生成された電力値情報がサーバ装置１へ伝送される経路について図８を参照して説明する。なお、ＣＴ５３からの情報（又は信号）がサーバ装置１へ伝送される経路は、図８において太線で伝送方向を示す矢印を付して示している。
【０１０４】
まず、ＣＴ５３によってコンセント６３を介して車両に搭載された蓄電池へ供給される電流値が検出され、検出された電流値を示す信号がリレーコントローラ３３へ入力される。そして、リレーコントローラ３３の検出部３０３は、ＣＴ５３からの電流値信号に基づいて、電力値を算出する。そして、リレーコントローラ３３の通信制御部３０１は、算出
された電力値情報にリレーコントローラ３３のＩＰアドレス情報を付与して、リレーコントローラ３３の第１通信ポート３２ａから、リレーコントローラ３２の第２通信ポート３２ｂへ送信する。
【０１０５】
リレーコントローラ３２の通信制御部３０１は、第２通信ポート３２ｂから受信した電力値情報を、第１通信ポート３２ａから送信する。リレーコントローラ３１の通信制御部３０１は、第２通信ポート３１ｂから受信した電力値情報を、第１通信ポート３１ａから認証制御装置２へ送信する。認証制御装置２は、リレーコントローラ３１から受信した電力値情報を、インターネット８を介してサーバ装置１（ここでは、電流受信部１０１）へ送信する。このようにして、ＣＴ５３の検出結果に基づき生成された電力値情報が、リレーコントローラ３３、リレーコントローラ３２、リレーコントローラ３１、及び、認証制御装置２を順次経由して、サーバ装置１へ伝送される。
【０１０６】
再び、図６に戻って、電力供給制御システム１００の機能構成について説明する。リレーコントローラ３の開閉部３０２は、サーバ装置１（ここでは、許可指示部１０９、遮断指示部１０４）から通信制御部３０１を介して受信された指示情報（許可指示情報、遮断指示情報）に基づいて、リレー４をＯＮ及びＯＦＦさせる機能部である。なお、開閉部３０２は、特許請求の範囲に記載の「切換制御手段」に相当する。具体的には、サーバ装置１からの指示情報（許可指示情報、遮断指示情報）は、インターネット８、認証制御装置２、及び、上流側のリレーコントローラ３を介して、リレーコントローラ３の通信制御部３０１から開閉部３０２へ伝送される（図７参照）。
【０１０７】
検出部３０３は、ＣＴ５によって検出された電流値信号に基づいて、電力値を算出し、算出された電力値情報に、リレーコントローラ３に対応するＩＰアドレス情報を付与して、サーバ装置１（ここでは、電力受信部１０１）へ出力する機能部である。ここでは、検出部３０３は、特許請求の範囲に記載された電力検出手段の一部に相当する。具体的には、リレーコントローラ３の検出部３０３からの電力値情報は、上流側のリレーコントローラ３、認証制御装置２、及び、インターネット８を介してサーバ装置１の電力受信部１０１へ伝送される（図８参照）。
【０１０８】
電力受信部１０１は、リレーコントローラ３の検出部３０３からの電力値情報を受信する機能部である。電力受信部１０１は、特許請求の範囲に記載の電力検出手段の一部に相当する。
【０１０９】
満充電判定部１０２は、各コンセント６から給電されている車両に搭載された蓄電池が満充電状態であるか否かを判定する機能部である。満充電判定部１０２は、特許請求の範囲に記載の「遮断判定手段」の一部に相当する。満充電判定部１０２は、具体的には、電力受信部１０１によって受信されたリレーコントローラ３の検出部３０３からの電力値情報に基づいて満充電状態であるか否かを判定する。例えば、満充電判定部１０２は、リレーコントローラ３の検出部３０３からの電力値が予め設定された電力閾値（例えば、３Ｗ）以下の状態が、予め設定された時間閾値（例えば、１０秒）以上継続した場合に、満充電状態であると判定する。
【０１１０】
遮断判定部１０３は、リレーコントローラ３ごとに、予め設定された電力の供給を遮断する条件である遮断条件を満たすか否かを判定する機能部である。遮断判定部１０３は、特許請求の範囲に記載の「遮断判定手段」の一部に相当する。遮断判定部１０３は、ここでは、許可判定部１０８によって電力の供給が許可されたリレーコントローラ３ごとに、満充電判定部１０２によって満充電状態であると判定されたか否かを判定する。
【０１１１】
遮断指示部１０４は、遮断判定部１０３によって遮断条件を満たすと判定されたリレー
コントローラ３に対応するＩＰアドレス情報が付与され、電力の供給を遮断する旨の指示情報である遮断指示情報を、インターネット８、及び、認証制御装置２を介して、リレーコントローラ３に対して送信する機能部である。遮断指示部１０４は、特許請求の範囲に記載の「遮断指示手段」に相当する。
【０１１２】
このようにして、電力の供給を遮断する条件である遮断条件が、各コンセント６から給電されている車両に搭載された蓄電池が満充電状態であるとの条件であるため、蓄電池が満充電状態になった場合に、車両の蓄電池に供給する電力を遮断することができる。したがって、蓄電池が満充電状態になった場合に、車両の蓄電池に供給する電力が遮断されるため、他の車両の蓄電池に電力を供給することが可能となるので、当該電力供給制御システム１００に配設された複数のコンセント６を有効に利用することができる。
【０１１３】
本実施形態では、電力の供給を遮断する条件である遮断条件が、各コンセント６から給電されている車両に搭載された蓄電池が満充電状態であるとの条件である場合について説明するが、遮断条件が、その他の条件を含む形態でもよい。例えば、遮断条件が、何らかの事情（例えば、子供の悪戯、強風等）によってプラグがコンセント６から外れたとの条件を含む形態でもよい。この場合には、当該電力供給制御システム１００に配設された複数のコンセント６を更に有効に利用することができる。
【０１１４】
充電個数算出部１０５は、認証部１０７によって充電要求が受け付けられた場合に、充電中のリレーコントローラ３の個数である充電個数ＮＡを求める機能部である。充電個数算出部１０５は、特許請求の範囲に記載の「充電個数算出手段」に相当する。充電個数算出部１０５は、具体的には、例えば、サーバ装置１のＨＤＤ等に形成され、充電中のコンセント番号に対応するＩＰアドレス情報を記憶する記憶部である「充電中アドレス記憶部」に格納されたＩＰアドレス情報の個数をカウントすることによって充電個数ＮＡを求める。また、充電個数算出部１０５は、遮断判定部１０３によってリレーコントローラ３の電力の供給が遮断された場合にも、充電個数ＮＡを求める。
【０１１５】
充電電力算出部１０６は、認証部１０７によって充電要求が受け付けられた場合に、電力受信部１０１によって受信された電力値の和である充電電力ＷＡを求める機能部である。充電電力算出部１０６は、特許請求の範囲に記載の「充電電力算出手段」に相当する。充電電力算出部１０６は、具体的には、例えば、「充電中アドレス記憶部」に格納されたＩＰアドレス情報をそれぞれ含む電力値情報の電力値の和を求めることによって、充電電力ＷＡを求める。また、充電電力算出部１０６は、遮断判定部１０３によってリレーコントローラ３の電力の供給が遮断された場合にも、充電電力ＷＡを求める。
【０１１６】
認証部１０７は、車両に搭載された蓄電池の充電を所望するユーザがサーバ装置１に登録されたユーザであるか否かを判定する処理である個人認証処理、及び、ユーザが使用を所望するコンセント番号が選択可能であるか否かを判定する処理であるコンセント選択処理を行う機能部である。認証部１０７は、特許請求の範囲に記載の「要求受付手段」の一部に相当する。
【０１１７】
認証部１０７は、個人認証処理として、認証制御装置２から、ＩＣカード等に記憶されたユーザＩＤ情報を受け付け、受け付けられたユーザＩＤ情報が、予め登録され、ＨＤＤ等に記録された登録済みユーザＩＤ情報のいずれかと一致するか否かの判定を行う。すなわち、認証制御装置２から受け付けられたユーザＩＤ情報がサーバ装置１に登録されているか否かの判定を行う。
【０１１８】
ユーザＩＤ情報がサーバ装置１に登録されていると判定された場合には、認証部１０７は、コンセント選択処理を行う。すなわち、認証部１０７は、コンセント選択処理として
、認証制御装置２からコンセント番号情報を受け付けて、受け付けられたコンセント番号が選択可能であるか否かの判定を行う。なお、認証部１０７は、例えば、下記の条件Ａ、及び、条件Ｂを満たす場合に、受け付けられたコンセント番号が選択可能であると判定する。
【０１１９】
条件Ａ：受け付けられたコンセント番号に対応する区画が使用中ではない
条件Ｂ：受け付けられたコンセント番号に対応する区画に他のユーザの予約が入っていない
許可判定部１０８は、認証部１０７によってコンセント番号が選択可能であると判定された場合に、予め設定された電力の供給を許可する条件である供給許可条件を満たすか否かを判定する機能部である。許可判定部１０８は、特許請求の範囲に記載の「許可判定手段」に相当する。
【０１２０】
具体的には、許可判定部１０８は、充電個数算出部１０５によって求められた充電個数ＮＡが予め設定された個数閾値Ｎｔｈ（例えば、１０個）以下であるか否かに応じて、前記供給許可条件を満たすか否かを判定する。また、充電電力算出部１０６によって求められた充電電力ＷＡが予め設定された電力閾値Ｗｔｈ（例えば、３００ｋＷ）以下であるか否かに応じて、前記供給許可条件を満たすか否かを判定する。ここでは、許可判定部１０８は、充電個数ＮＡが個数閾値Ｎｔｈ（ここでは、１０個）以下であって、且つ、充電電力ＷＡが電力閾値Ｗｔｈ（ここでは、３００ｋＷ）以下である場合に、供給許可条件を満たすと判定する。
【０１２１】
なお、認証部１０７によってコンセント番号が選択可能であると判定され、許可判定部１０８によって供給許可条件を満たすと判定された場合には、許可指示部１０９によって、当該コンセント番号に対応する車両に搭載された蓄電池の充電が開始される。また、許可判定部１０８は、当該コンセント番号に対応するリレーコントローラ３に付与されたＩＰアドレス情報を、サーバ装置１のＨＤＤ等に形成され、充電中のコンセント番号に対応するＩＰアドレス情報を記憶する記憶部（例えば、図略の「充電中アドレス記憶部」）に記録する。一方、認証部１０７によってコンセント番号が選択可能であると判定され、許可判定部１０８によって供給許可条件を満たさないと判定された場合には、許可判定部１０８は、当該コンセント番号に対応するリレーコントローラ３に付与されたＩＰアドレス情報を、サーバ装置１のＨＤＤ等に形成され、充電待ち状態のコンセント番号に対応するＩＰアドレス情報を記憶する記憶部（例えば、図略の「充電待ちアドレス記憶部」）に記録する。
【０１２２】
このようにして、ユーザから車両に搭載された蓄電池への充電を所望する旨の充電要求を受け付けられた場合に、充電中のコンセント番号に対応するリレーコントローラ３の個数である充電個数ＮＡが求められ、充電個数ＮＡが予め設定された個数閾値Ｎｔｈ以下であるか否かに応じて、電力の供給を許可する条件である供給許可条件を満たすか否かが判定されるため、簡素な構成で給電許否を適正に判定することができる。
【０１２３】
また、リレーコントローラ３によってコンセント６への電力の供給が遮断された場合に、充電個数ＮＡが求められるため、当該電力供給制御システム１００に配設された複数のコンセント６を有効に利用することができる。
【０１２４】
すなわち、ユーザから車両に搭載された蓄電池への充電を所望する旨の充電要求が受け付けられ、充電個数ＮＡが個数閾値Ｎｔｈより大である場合には、供給許可条件を満たさないと判定され、車両に搭載された蓄電池への充電を開始することができない。その後、リレーコントローラ３によって電力の供給が遮断された場合に、充電個数ＮＡが求められるため、求められた充電個数ＮＡが個数閾値Ｎｔｈ以下であると判定されて、車両に搭載
された蓄電池への充電を開始することができることになるので、当該電力供給制御システム１００に配設された複数のコンセント６を有効に利用することができるのである。
【０１２５】
更に、ユーザから車両に搭載された蓄電池への充電を所望する旨の充電要求が受け付けられた場合に、各商用電源から各蓄電池へ供給される電力値の和である充電電力ＷＡが求められ、充電電力ＷＡが電力閾値Ｗｔｈ以下であるか否かに応じて、電力の供給を許可する条件である供給許可条件を満たすか否かが判定されるため、簡素な構成で給電許否を適正に判定することができる。
【０１２６】
加えて、リレーコントローラ３によってコンセント６への電力の供給が遮断された場合に、各商用電源から各蓄電池へ供給される電力値の和である充電電力ＷＡが求められるため、当該電力供給制御システム１００に配設された複数のコンセント６を有効に利用することができる。
【０１２７】
すなわち、ユーザから車両に搭載された蓄電池への充電を所望する旨の充電要求が受け付けられ、充電電力ＷＡが電力閾値Ｗｔｈより大である場合には、供給許可条件を満たさないと判定され、車両に搭載された蓄電池への充電を開始することができない。その後、リレーコントローラ３によってコンセント６への供給が遮断された場合に、充電電力ＷＡが求められるため、求められた充電電力ＷＡが電力閾値Ｗｔｈ以下であると判定されて、車両に搭載された蓄電池への充電を開始することができる可能性が高いので、当該電力供給制御システム１００に配設された複数のコンセント１００を有効に利用することができるのである。
【０１２８】
なお、本実施形態では、許可判定部１０８が、充電個数ＮＡ及び充電電力ＷＡに基づいて電力の供給を許可するか否かを判定する場合について説明するが、許可判定部１０８が、充電個数ＮＡ又は充電電力ＷＡに基づいて電力の供給を許可するか否かを判定する形態でもよい。この場合には、処理が簡略化される。
【０１２９】
また、許可判定部１０８が、充電電力ＷＡに換えて（又は、加えて）、各商用電源から各蓄電池へ供給される電流値の和である充電電流ＡＭに基づいて電力の供給を許可するか否かを判定する形態でもよい。充電電力ＷＡに換えて、充電電流ＡＭに基づいて電力の供給を許可するか否かを判定する場合には、処理が簡略化される。充電電力ＷＡに加えて、充電電流ＡＭに基づいて電力の供給を許可するか否かを判定する場合には、より正確に許否を判定することができる。
【０１３０】
許可指示部１０９は、認証部１０７によってコンセント番号が選択可能であると判定され、且つ、許可判定部１０８によって供給許可条件を満たすと判定された場合に、前記コンセント番号に対応するリレーコントローラ３に付与されたＩＰアドレス情報を含む許可指示情報を生成する機能部である。許可指示部１０９は、特許請求の範囲に記載の「許可指示手段」に相当する。また、許可指示部１０９は、生成された許可指示情報を、インターネット８、及び、認証制御装置２を介して、リレーコントローラ３へ送信し、リレーコントローラ３の通信制御部３０１及び開閉部３０２を介して、選択されたコンセント番号に対応するリレー４をＯＮ状態として、車両に搭載された蓄電池への給電を可能とする。
【０１３１】
−電力供給制御システム１００全体の動作−
図９は、図１に示す電力供給制御システム１００の動作に一例を示すラダー図である。以下、図９を参照して、電力供給制御システム１００全体の動作の概要について説明する。まず、ステップＴ２１において、認証制御装置２のカードリーダ２１５（図４参照）によって、ＩＣカード等に記憶されたＩＤ情報が読み取られる。そして、読み取られたＩＤ情報は、サーバ装置１に伝送される。次に、ステップＴ１１において、サーバ装置１（認
証部１０７）によって、ＩＤ情報が受信される。
【０１３２】
そして、ステップＴ１２において、サーバ装置１（認証部１０７）によって、ＩＤ情報が登録されたＩＤ情報であるか否かの判定が行われる。ステップＴ１２でＮＯの場合には、処理がステップＴ２２に進められる。ステップＴ１２でＹＥＳの場合には、処理がステップＴ２３に進められる。
【０１３３】
ステップＴ２２において、認証制御装置２のＬＣＤ２１６に個人認証が失敗した旨のエラー画面が表示されて、処理がステップＴ２１に戻される。ステップＴ２３において、認証制御装置２のＬＣＤ２１６に、コンセント６の番号入力をユーザに促す旨のガイダンス情報を表示する画面が表示される。次に、ステップＴ２４において、認証制御装置２の入力部２１４を介して、コンセント番号の入力が受け付けられる。受け付けられたコンセント番号情報は、サーバ装置１へ伝送される。
【０１３４】
ステップＴ１３において、サーバ装置１（認証部１０７）によって、コンセント番号情報が受信される。そして、ステップＴ１４において、サーバ装置１（認証部１０７）によって、受信されたコンセント番号が選択可能であるか否かの判定が行われる。ステップＴ１４でＮＯの場合には、処理がステップＴ２５に進められる。ステップＴ１４でＹＥＳの場合には、処理がステップＴ１５に進められる。
【０１３５】
ステップＴ２５において、認証制御装置２のＬＣＤ２１６にコンセント選択が失敗した旨のエラー画面が表示されて、処理がステップＴ２４に戻される。ステップＴ１５において、サーバ装置１（許可判定部１０８、許可指示部１０９）によって、リレーコントローラ３に対してリレー４をＯＮする旨の指示情報が送信される。そして、ステップＴ３１において、リレーコントローラ３（通信制御部３０１、開閉部３０２）によって、リレー４がＯＮされて車両に搭載された蓄電池の充電が開始される。
【０１３６】
次に、ステップＴ３２において、リレーコントローラ３（通信制御部３０１、検出部３０３）によって、ＣＴ５からの電流値に基づいて電力値が検出され、検出された電力値情報が、サーバ装置１へ送信される。ステップＴ１６において、サーバ装置１（電力受信部１０１）によって、リレーコントローラ３から電力値情報が受信される。そして、ステップＴ１７において、サーバ装置１（満充電判定部１０２、遮断判定部１０３、及び、遮断指示部１０４）によって、受信された電力値情報に基づいて給電を遮断するか否かの判定が行われる。ステップＴ１７でＹＥＳの場合には、処理がステップＴ３３に進められる。ステップＴ１７でＮＯの場合には、処理がステップＴ１６に戻される。ステップＴ３３において、リレーコントローラ３（通信制御部３０１、開閉部３０２）によって、リレー４がＯＦＦされて車両に搭載された蓄電池の充電が終了される。
【０１３７】
−電力供給制御システム１００のリレーコントローラ３の動作−
図１０は、図１に示す電力供給制御システム１００に配設されるリレーコントローラ３の動作の一例を示すフローチャートである。以下、図６、図１０を参照して、リレーコントローラ３の動作について説明する。まず、ステップＳ３０１において、通信制御部３０１によって、サーバ装置１（許可指示部１０９）からリレー４をＯＮする旨の給電開始指示情報が受け付けたか否かの判定が行われる。ステップＳ３０１でＮＯの場合には、処理が待機状態とされる。ステップＳ３０１でＹＥＳの場合には、処理がステップＳ３０３に進められる。
【０１３８】
ステップＳ３０３において、通信制御部３０１によって、ステップＳ３０１において受け付けられた給電開始指示情報に含まれるＩＰアドレスが、当該リレーコントローラ３に付与されたＩＰアドレスと一致するか否かの判定が行われる。ステップＳ３０３でＮＯの
場合には、処理がステップＳ３０５へ進められる。ステップＳ３０３でＹＥＳの場合には、処理がステップＳ３０７へ進められる。ステップＳ３０５において、通信制御部３０１によって、ステップＳ３０１において受け付けられた給電開始指示情報が、下流側のリレーコントローラ３へ伝送される。そして、処理がステップＳ３０１に戻され、ステップＳ３０１以降の処理が繰り返し実行される。
【０１３９】
ステップＳ３０７（図９のステップＴ３１に相当する）において、開閉部３０２によって、リレー４がＯＮ状態とされる。次に、ステップＳ３０９において、検出部３０３によってＣＴ５から電流値信号が取得される。そして、ステップＳ３１１（図９のステップＴ３２に相当する）において、検出部３０３によって、ステップＳ３０９において取得された電流値に基づいて、商用電源から供給される電力値が算出される。次いで、ステップＳ３１３において、通信制御部３０１によって、ステップＳ３１１において算出された電力値情報に、リレーコントローラ３のＩＰアドレス情報が付与されて、サーバ装置１へ送信される。
【０１４０】
次に、ステップＳ３１５において、通信制御部３０１によって、サーバ装置１（遮断指示部１０４）からリレー４をＯＦＦする旨の遮断指示情報が受け付けられたか否かの判定が行われる。ステップＳ３１５でＮＯの場合には、処理がステップＳ３０９に戻され、ステップＳ３０９以降の処理が繰り返し実行される。ステップＳ３１５でＹＥＳの場合には、処理がステップＳ３１７へ進められる。ステップＳ３１７において、通信制御部３０１によって、ステップＳ３１５において受け付けられた遮断指示情報に含まれるＩＰアドレスが、当該リレーコントローラ３に付与されたＩＰアドレスと一致するか否かの判定が行われる。ステップＳ３１５でＮＯの場合には、処理がステップＳ３１９へ進められる。ステップＳ３１５でＹＥＳの場合には、処理がステップＳ３２１へ進められる。ステップＳ３１９において、通信制御部３０１によって、ステップＳ３１５において受け付けられた遮断指示情報が、下流側のリレーコントローラ３へ伝送される。そして、処理がステップＳ３０９に戻され、ステップＳ３０９以降の処理が繰り返し実行される。ステップＳ３２１（図９のステップＴ３３に相当する）において、開閉部３０２によって、リレー４がＯＦＦ状態とされ、処理がステップＳ３０１へリターンされる。
【０１４１】
−電力供給制御システム１００の認証制御装置２の動作−
図１１は、図１に示す電力供給制御システム１００に配設される認証制御装置２の動作の一例を示すフローチャートである。以下、図４、図１１を参照して、認証制御装置２の動作について説明する。なお、以下の処理は、全て、認証制御装置２のＣＰＵ２１１によって実行される。ステップＳ２０１（図９のステップＴ２１に相当する）において、カードリーダ２１５を介して、ＩＣカード等に記憶されたＩＤ情報が取得されたか否かの判定が行われる。ステップＳ２０１でＮＯの場合には処理が待機状態とされる。ステップＳ２０１でＹＥＳの場合には、処理がステップＳ２０３へ進められる。
【０１４２】
ステップＳ２０３において、ステップＳ２０１で取得されたＩＤ情報がサーバ装置１（認証部１０７）へ送信される。そして、ステップＳ２０５において、サーバ装置１（認証部１０７）から、認証処理が成功した旨の情報が受信されたか否かの判定が行われる。ステップＳ２０５でＮＯの場合（失敗した旨の情報が受信された場合）には、処理がステップＳ２０７へ進められる。ステップＳ２０５でＹＥＳの（認証処理が成功した旨の情報が受信された）場合には、処理がステップＳ２０９へ進められる。
【０１４３】
ステップＳ２０７（図９のステップＴ２２に相当する）において、ＬＣＤ２１６に認証が失敗したことを報知するエラー画面が表示され、処理がステップＳ２０１に戻され、ステップＳ２０１以降の処理が繰り返し実行される。ステップＳ２０９（図９のステップＴ２３に相当する）において、ＬＣＤ２１６にコンセントの番号の入力を促す画面が表示さ
れる。そして、ステップＳ２１１（図９のステップＴ２４に相当する）において、入力部２１４を介してコンセントの番号が入力されたか否かの判定が行われる。ステップＳ２１１でＮＯの場合には、処理が待機状態とされる。ステップＳ２１１でＹＥＳの場合には、処理がステップＳ２１３へ進められる。ステップＳ２１３において、ステップＳ２１１で受け付けられたコンセント番号情報がサーバ装置１（認証部１０７）へ送信される。そして、ステップＳ２１５において、サーバ装置１（認証部１０７）から、コンセント選択を許可する旨の情報が受信されたか否かの判定が行われる。
【０１４４】
ステップＳ２１５でＮＯの場合（コンセント選択を許可しない旨の情報が受信された場合）には、処理がステップＳ２１７へ進められる。ステップＳ２１５でＹＥＳの場合（コンセント選択を許可する旨の情報が受信された場合）には、処理がステップＳ２１９へ進められる。ステップＳ２１７（図９のステップＴ２５に相当する）において、ＬＣＤ２１６にコンセント選択が失敗したことを報知するエラー画面が表示され、処理がステップＳ２０９に戻され、ステップＳ２０９以降の処理が繰り返し実行される。ステップＳ２１９において、ステップＳ２１１で選択されたコンセント番号への給電を許可する旨の指示情報（許可指示情報）がサーバ装置１（許可指示部１０９）から受信されたか否かの判定が行われる。
【０１４５】
ステップＳ２１９でＹＥＳの場合には、処理がステップＳ２２１へ進められる。ステップＳ２１９でＮＯの場合には、処理がステップＳ２２３へ進められる。ステップＳ２２１において、ＬＣＤ２１６に給電が開始されることを報知する画面が表示され、処理がステップＳ２０１へリターンされる。ステップＳ２２３において、ＬＣＤ２１６に待機中となる（充電個数ＮＡ又は充電電力ＷＡが条件を満たさないため、給電が許可されない）ことを報知する画面（例えば、「容量制限により、充電中の他の車両における充電が完了するまで開始されません。」とのガイダンス情報）が表示され、処理がステップＳ２０１へリターンされる。
【０１４６】
−電力供給制御システム１００のサーバ装置１の動作−
図１２、図１３は、図１に示す電力供給制御システム１００に配設されるサーバ装置１の動作の一例を示すフローチャートである。なお、ここでは、便宜上、コンセント番号に対応するＩＰアドレス情報がサーバ装置１のＨＤＤ等の「アドレス記憶部」に予め記憶されている場合について説明する。まず、図１２に示すステップＳ１０１（図９のステップＴ１１に相当する）において、認証部１０７によって、認証制御装置２からＩＤ情報が受信されたか否かの判定が行われる。ステップＳ１０１でＮＯの場合には、処理が図１３のステップＳ１２９に進められる。ステップＳ１０１でＹＥＳの場合には、処理がステップＳ１０３に進められる。ステップＳ１０３（図９のステップＴ１２に相当する）において、認証部１０７によって、ステップＳ１０１において受信されたＩＤ情報が登録されているか否か（個人認証が成功するか否か）の判定が行われる。
【０１４７】
ステップＳ１０３でＮＯの場合には、処理がステップＳ１０５へ進められる。ステップＳ１０３でＹＥＳの場合には、処理がステップＳ１０７へ進められる。ステップＳ１０５において、認証部１０７によって、個人認証が失敗した旨の情報が認証制御装置２へ送信され、処理がステップＳ１０１に戻されて、ステップＳ１０１以降の処理が繰り返し実行される。
【０１４８】
ステップＳ１０７において、認証部１０７によって、個人認証が成功した旨の情報が認証制御装置２へ送信される。次に、ステップＳ１０９（図９のステップＴ１３に相当する）において、認証部１０７によって、認証制御装置２から選択されたコンセント番号が受信されたか否かの判定が行われる。ステップＳ１０９でＮＯの場合には、処理が待機状態とされる。ステップＳ１０９でＹＥＳの場合には、処理がステップＳ１１１へ進められる
。
【０１４９】
ステップＳ１１１（図９のステップＴ１４に相当する）において、認証部１０７によって、ステップＳ１０９において受信されたコンセント番号を選択可能か否かの判定が行われる。ステップＳ１１１でＮＯの場合には、処理がステップＳ１１３へ進められる。ステップＳ１１１でＹＥＳの場合には、処理がステップＳ１１５へ進められる。ステップＳ１１３において、認証部１０７によって、認証制御装置２に対して、ステップＳ１０９において受信されたコンセント番号は選択不可である旨の情報が送信され、処理がステップＳ１０９に戻され、ステップＳ１０９以降の処理が繰り返し実行される。
【０１５０】
ステップＳ１１５において、ステップＳ１０９において受信されたコンセント番号に対応するコンセント６への給電の許否を判定する給電許否判定処理（図１４参照）が実行される。そして、ステップＳ１１７において、許可指示部１０９によって、ステップＳ１１５での判断結果が、コンセント６への給電許可であったか否かの判定が行われる。ステップＳ１１５でＹＥＳの場合（コンセント６への給電が許可された場合）には、処理がステップＳ１１９へ進められる。ステップＳ１１５でＮＯの場合（コンセント６への給電が拒否された場合）には、処理が図１３のステップＳ１２３へ進められる。
【０１５１】
ステップＳ１１９において、許可指示部１０９によって、ステップＳ１０９において受信されたコンセント番号に対応するＩＰアドレス情報がＨＤＤ等に形成された「アドレス記憶部」から読み出される。そして、ステップＳ１２１（図９のステップＴ１５に相当する）において、許可指示部１０９によって、ステップＳ１２１で読み出されたＩＰアドレス情報が付与され、ステップＳ１０９において受信されたコンセント番号に対応するコンセント６への給電を開始する旨の指示情報（許可指示情報）が生成されて、認証制御装置２を介してリレーコントローラ３へ送信される。また、許可指示部１０９によって、ステップＳ１０９において受信されたコンセント番号、及び、ステップＳ１２１で読み出されたＩＰアドレス情報が対応付けて「充電中アドレス記憶部」に記録される。そして、処理が図１３のステップＳ１２９へ進められる。
【０１５２】
図１３に示すフローチャートのステップＳ１２３において、許可判定部１０８によって、充電待ちの車両の台数である「待ち台数」が「１」だけインクリメントされる。そして、ステップＳ１２５において、許可判定部１０８によって、充電の開始待ちの状態である（待機中である）ことを示す情報を表示する旨の指示情報が認証制御装置２に対して送信される。次いで、ステップＳ１２７において、許可判定部１０８によって、ステップＳ１０９で受信されたコンセント番号、及び、当該コンセント番号に対応するＩＰアドレス情報が対応付けられて、「充電待ちアドレス記憶部」に記録される。
【０１５３】
次に、ステップＳ１２９（図９のステップＴ１６に相当する）において、電力受信部１０１によって、認証制御装置２を介して充電中の各コンセント６に対応する各リレーコントローラ３から電力情報が受信される。そして、ステップＳ１３１において、満充電判定部１０２によって、各コンセント６にそれぞれ接続された車両の蓄電池が満充電状態であるか否かの判定が行われる。ステップＳ１３１でＹＥＳの場合には、処理がステップＳ１３３へ進められる。ステップＳ１３３でＮＯの場合には、処理が図１２のステップＳ１０１へリターンされる。
【０１５４】
ステップＳ１３３において、満充電判定部１０２によって、ユーザの携帯電話機７に対して、満充電である旨のメールが送信される。そして、ステップＳ１３５において、遮断判定部１０３によって、ステップＳ１３１において満充電であると判定されたコンセント番号に対応するＩＰアドレス情報が「充電中アドレス記憶部」から読み出されると共に、「充電中アドレス記憶部」に記憶された当該コンセント番号情報及びＩＰアドレス情報が
消去される。次いで、ステップＳ１３７（図９のステップＴ１７に相当する）において、遮断指示部１０４によって、ステップＳ１３５で読み出されたＩＰアドレス情報が付与され、ステップＳ１３１において満充電であると判定されたコンセント番号に対応するコンセント６への給電を遮断する旨の指示情報（遮断指示情報）が生成されて、認証制御装置２を介してリレーコントローラ３へ送信される。そして、ステップＳ１３９において、許可判定部１０８によって、「待ち台数」が「１」以上であるか否かの判定が行われる。ステップＳ１３９でＹＥＳの場合（「待ち台数」が「１」以上である場合）には、処理がステップＳ１４１へ進められる。ステップＳ１３９でＮＯの場合（「待ち台数」が「０」である場合）には、処理が図１２のステップＳ１０１へリターンされる。
【０１５５】
ステップＳ１４１において、「充電待ちアドレス記憶部」の先頭に記憶されている（記憶されたタイミングが最も古い）コンセント番号に対応するコンセント６への給電の許否を判定する給電許否判定処理（図１４参照）が実行される。そして、ステップＳ１４３において、許可指示部１０９によって、ステップＳ１４１での判断結果が、コンセント６への給電許可であったか否かの判定が行われる。ステップＳ１４３でＹＥＳの場合（コンセント６への給電が許可された場合）には、処理がステップＳ１４５へ進められる。ステップＳ１４３でＮＯの場合（コンセント６への給電が拒否された場合）には、処理が図１２のステップＳ１０１へリターンされる。
【０１５６】
ステップＳ１４５において、許可指示部１０９によって、「充電待ちアドレス記憶部」の先頭に記憶されているコンセント番号に対応するＩＰアドレス情報が読み出される。そして、ステップＳ１４７（図９のステップＴ１５に相当する）において、許可指示部１０９によって、ステップＳ１４５で読み出されたＩＰアドレス情報が付与され、ステップＳ１４３において給電が許可されたコンセント番号に対応するコンセント６への給電を開始する旨の指示情報（許可指示情報）が生成されて、認証制御装置２を介してリレーコントローラ３へ送信される。また、許可指示部１０９によって、「充電待ちアドレス記憶部」に記憶されていたコンセント番号情報、及び、ＩＰアドレス情報が「充電中アドレス記憶部」に記録される。なお、「充電中アドレス記憶部」に記録されたコンセント番号情報、及び、ＩＰアドレス情報は、許可指示部１０９によって、「充電待ちアドレス記憶部」から消去される。そして、ステップＳ１４９において、許可判定部１０８によって、充電待ちの車両の台数である「待ち台数」が「１」だけデクリメントされ、処理が図１２のステップＳ１０１へリターンされる。
【０１５７】
図１４は、図１２のステップＳ１１５及び図１３のステップＳ１４１で実行される給電許否判定処理の一例を示す詳細フローチャートである。まず、ステップＳ１５１において、充電個数算出部１０５によって、「充電中アドレス記憶部」に格納されたコンセント番号情報（又は、ＩＰアドレス情報）の個数をカウントすることによって充電中のリレーコントローラ３の個数である充電個数ＮＡが求められる。次に、ステップＳ１５３において、許可判定部１０８によって、ステップＳ１５１で求められた充電個数ＮＡが、個数閾値Ｎｔｈ（例えば、１０個）以下であるか否かの判定が行われる。ステップＳ１５３でＹＥＳの場合には、処理がステップＳ１５５へ進められる。ステップＳ１５３でＮＯの場合には、処理がステップＳ１６３へ進められる。
【０１５８】
ステップＳ１５５において、電力受信部１０１によって、「充電中アドレス記憶部」に格納されたコンセント番号情報（又は、ＩＰアドレス情報）に対応する各リレーコントローラ３から電力値情報が受信される。そして、ステップＳ１５７において、充電電力算出部１０６によって、ステップＳ１５５において受信された電力値の和である充電電力ＷＡが求められる。次いで、ステップＳ１５９において、許可判定部１０８によって、ステップＳ１５７において求められた充電電力ＷＡが電力閾値Ｗｔｈ（例えば、３００ｋＷ）以下であるか否かの判定が行われる。ステップＳ１５９でＹＥＳの場合には、処理がステッ
プＳ１６１へ進められる。ステップＳ１５９でＮＯの場合には、処理がステップＳ１６３へ進められる。
【０１５９】
ステップＳ１６１において、許可判定部１０８によって、給電の開始が許可され、処理がリターンされる。ステップＳ１６３において、許可判定部１０８によって、給電の開始が拒否され、処理がリターンされる。
【０１６０】
このようにして、コンセント６ごとに電力の供給及び遮断を制御するリレーコントローラ３が、ＩＰアドレス情報が一致するか否かを判断する通信制御部３０１、及び、リレー４に対して電力の供給及び遮断を指示する開閉部３０２を備えればよいため、コンセント６ごとに電力の供給及び遮断を制御する装置（リレーコントローラ３）を簡素な構成とすることができる。
【０１６１】
−他の実施形態−
本実施形態では、サーバ装置１と認証制御装置２とがインターネット８を介して通信可能に接続されている場合について説明したが、サーバ装置１と認証制御装置２とがその他のネットワーク（例えば、ＬＡＮ（Local Area Network）等）を介して通信可能に接続されている形態でもよい。
【０１６２】
本実施形態では、サーバ装置１が、電力受信部１０１、満充電判定部１０２、遮断判定部１０３、遮断指示部１０４、充電個数算出部１０５、充電電力算出部１０６、認証部１０７、許可判定部１０８、及び、許可指示部１０９等の機能部を備える場合について説明したが、認証制御装置２が、電力受信部１０１、満充電判定部１０２、遮断判定部１０３、遮断指示部１０４、充電個数算出部１０５、充電電力算出部１０６、認証部１０７、許可判定部１０８、及び、許可指示部１０９等の機能部の少なくとも１つを備える形態でもよい。
【０１６３】
また、認証制御装置２が、サーバ装置１に換えて、電力受信部１０１、満充電判定部１０２、遮断判定部１０３、遮断指示部１０４、充電個数算出部１０５、充電電力算出部１０６、認証部１０７、許可判定部１０８、及び、許可指示部１０９等の機能部を備える形態でもよい。この場合には、認証制御装置２、リレーコントローラ３、リレー４、及び、ＣＴ５、が本発明に係る電力供給制御装置に相当する。
【０１６４】
本実施形態では、サーバ装置１が、電力受信部１０１、満充電判定部１０２、遮断判定部１０３、遮断指示部１０４、充電個数算出部１０５、充電電力算出部１０６、認証部１０７、許可判定部１０８、及び、許可指示部１０９等の機能部を備える場合について説明したが、電力受信部１０１、満充電判定部１０２、遮断判定部１０３、遮断指示部１０４、充電個数算出部１０５、充電電力算出部１０６、認証部１０７、許可判定部１０８、及び、許可指示部１０９等の機能部のうち、少なくとも１つの機能部が電子回路等のハードウェアから構成される形態でもよい。
【０１６５】
本実施形態では、リレーコントローラ３が、通信制御部３０１、開閉部３０２及び検出部３０３等の機能部を備える場合について説明したが、通信制御部３０１、開閉部３０２及び検出部３０３の少なくとも一方が電子回路等のハードウェアから構成される形態でもよい。
【産業上の利用可能性】
【０１６６】
本発明は、複数の車両にそれぞれ搭載された蓄電池に対して、複数の商用電源からそれぞれコンセントを介して供給する電力を制御する電力供給制御装置、及び、電力供給制御システムに利用することができる。
【符号の説明】
【０１６７】
１００  電力供給制御システム
１  サーバ装置
１０１  電力受信部
１０２  満充電判定部（遮断判定手段の一部）
１０３  遮断判定部（遮断判定手段の一部）
１０４  遮断指示部（遮断指示手段）
１０５  充電個数算出部（充電個数算出手段）
１０６  充電電力算出部（充電電力算出手段）
１０７  認証部（要求受付手段の一部）
１０８  許可判定部（許可判定手段）
１０９  許可指示部（許可指示手段）
２  認証制御装置（要求受付手段の一部、通信制御手段）
２１４  入力部
２１５  カードリーダ
３  リレーコントローラ
３ａ  第１通信ポート
３ｂ  第２通信ポート
３０１  通信制御部
３０２  開閉部（切換制御手段）
３０３  検出部（電力検出手段の一部）
４  リレー（切換手段）
５  ＣＴ（電力検出手段の一部）
６  コンセント
７  携帯電話機
８  ネットワーク（インターネット）
【要約】
【課題】複数の車両の蓄電池に供給する電力を簡素な構成で制御する。
【解決手段】各商用電源と各コンセント６との間に介設され、電力をＯＮ／ＯＦＦする複数のリレー４と、各リレー４のＯＮ／ＯＦＦの切り換えを制御すると共に、予めＩＰアドレス情報が設定された複数のリレーコントローラ３と、リレーコントローラ３に通信可能に接続されたサーバ装置１とを備える。また、サーバ装置１は、リレーコントローラ３ごとに、供給許可条件を満たすか否かを判定する許可判定部１０８と、供給許可条件を満たすと判定されたリレーコントローラ３のＩＰアドレスを付与した許可指示情報を、リレーコントローラ３に出力する許可指示部１０９と、を備え、リレーコントローラ３は、許可指示情報に含まれるＩＰアドレスが、当該リレーコントローラ３に予め設定されたＩＰアドレスと一致する場合に、リレー４をＯＮする。
【選択図】図６【図１】
0004763852.tif 000002
【図２】
0004763852.tif 000003
【図３】
0004763852.tif 000004
【図４】
0004763852.tif 000005
【図５】
0004763852.tif 000006
【図６】
0004763852.tif 000007
【図７】
0004763852.tif 000008
【図８】
0004763852.tif 000009
【図９】
0004763852.tif 000010
【図１０】
0004763852.tif 000011
【図１１】
0004763852.tif 000012
【図１２】
0004763852.tif 000013
【図１３】
0004763852.tif 000014
【図１４】
0004763852.tif 000015